(57)【特許請求の範囲】
【請求項１】
移動使用のための多機能塗布装置６であって、
塗布装置プラグ７と、供給管８と、Ｙ型部材９と、分岐管１０と、突起１２を有する鼻当て１１と、を備え、
前記塗布装置プラグ７は、高流量治療装置１との接続のための加湿器インターフェース１７を有する圧力室２１と、
少なくとも１ｍｍの開口径を有する酸素供給口１３と、
前記供給管８のための治療空気供給口１４と、を備え、
前記圧力室２１の中における前記加湿器インターフェース１７及び前記酸素供給口１３は、下部弁座２３及び上部弁座２５を有し、
前記下部弁座２３及び前記上部弁座２５のそれぞれは、シール２２を備え、
前記下部弁座２３と前記上部弁座２５の間には、移動可能である弁体２４を有し、
前記弁体２４は、圧縮コイルばね２６によって、前記酸素供給口１３の方向からの力を受け、
前記弁体２４は、前記塗布装置プラグ７が前記高流量治療装置１上の位置に係止される時、前記高流量治療装置１の作動要素２８によって、前記上部弁座２５に押し付けられることを特徴とする移動使用のための多機能塗布装置。
【請求項２】
前記弁体２４は球体であることを特徴とする、請求項１に記載の移動使用のための多機能塗布装置。
【請求項３】
前記弁体２４はシリンダピストンであることを特徴とする、請求項１に記載の移動使用のための多機能塗布装置。
【請求項４】
前記塗布装置プラグ７は、電源供給のため、及び／又は、信号線及び／又はデータ線のための接点１８、１９を備えることを特徴とする、請求項１〜３のいずれか１項に記載の移動使用のための多機能塗布装置。
【請求項５】
前記Ｙ型部材９において、センサ３３を備える機能ユニット２９が統合されることを特徴とする、請求項１〜４のいずれか１項に記載の移動使用のための多機能塗布装置。
【請求項６】
前記Ｙ型部材９において、方向弁３０を備える機能ユニット２９が統合されることを特徴とする、請求項１〜５のいずれか１項に記載の移動使用のための多機能塗布装置。
【請求項７】
前記Ｙ型部材９において、前記塗布装置プラグ７または前記高流量治療装置１のいずれかにおける送信装置および受信装置と通信する送信装置および受信装置を備える機能ユニット２９が統合されることを特徴とする、請求項１〜６のいずれか１項に記載の移動使用のための多機能塗布装置。
【請求項８】
前記Ｙ型部材９において、電子処理ユニット３４を備える機能ユニット２９が統合されることを特徴とする、請求項１〜７のいずれか１項に記載の移動使用のための多機能塗布装置。
【請求項９】
前記電子処理ユニット３４に、前記供給管８における加熱線３１または電池または二次電池によって、エネルギーが供給されることを特徴とする、請求項８に記載の移動使用のための多機能塗布装置。
【請求項１０】
前記塗布装置プラグ７はプログラマブルマイクロプロセッサを備えることを特徴とする、請求項１〜９のいずれか１項に記載の移動使用のための多機能塗布装置。
【請求項１１】
サービスデータと、患者データと、前記患者により個別に必要とされる治療パラメータとが、前記プログラマブルマイクロプロセッサのメモリに格納されることを特徴とする、請求項１０に記載の移動使用のための多機能塗布装置。
【請求項１２】
前記Ｙ型部材９は、前記突起１２に対して５ｍｍ以上の距離に配置されることを特徴とする、請求項１〜１１のいずれか１項に記載の移動使用のための多機能塗布装置。
【請求項１３】
使用した材料は、抗菌塗布を備えることを特徴とする、請求項１〜１２のいずれか１項に記載の移動使用のための多機能塗布装置。
【請求項１４】
携帯型酸素または治療空気源が前記酸素供給口１３に接続されることを特徴とする、請求項１〜１３のいずれか１項に記載の移動使用のための多機能塗布装置。
【発明の詳細な説明】
【技術分野】
【０００１】
本願は、多機能塗布装置に関し、特に移動使用のための多機能塗布装置に関する。
【背景技術】
【０００２】
高流量治療のための経鼻吸入システムは、例えば、ＷＯ２００８／０６０２９５Ａ２から知られている。濾過した空気は、送風機によって吸い込まれ、圧縮され、酸素が富化される。混合物は加熱した加湿器で噴霧され、塗布装置を介して、治療空気として患者の鼻孔の中に投与され、それを提供される患者は成人である。子供に対しては、マウスピースをさらに必要とする。
【０００３】
前記の公開された特許出願から知られている経鼻吸入システムにおいて、治療空気はマイクロプロセッサ制御弁によって高流量治療装置において酸素が富化される。空気入口を通って吸入され、高流量治療装置で濾過された外気は、このようにして、高流量治療装置の単独の供給口を通って供給された純酸素と活発に混合される。酸素含有量の他に、マイクロプロセッサは、気体圧力、気体流量、二酸化炭素含有量、温度、湿度のような供給される治療空気の他のパラメータを制御する。経鼻吸入システムは使用中の時、塗布装置は高流量治療装置に直接及び永久に接続する。
【０００４】
ＤＥ１０２００５０００９２２Ａ１から、塗布装置プラグ、供給管、Ｙ型部材、分岐管及び突起を有する鼻当てを備える塗布装置が知られている。塗布装置プラグ自体は、電気的なプラグ部品及び空圧式プラグ部品を有する。本発明は、この種類の塗布装置に基づくものである。
【０００５】
ＤＥ１０２０５９５５Ａ１は、呼吸ガスを提供する方法及び装置であって、水を水素と酸素に電解分離し、発生した酸素が圧縮され、加圧されたガスシリンダの中に送り込む酸素発生器を開示する。酸素発生器は、それぞれの制御仕様の関数として酸素カニューラ及び／又は加圧されたガスシリンダに向う呼吸ガスの導通を決定する分配器を提供する制御装置によって、加圧されたガスシリンダを充填し、酸素カニューラのための呼吸ガスを供給する。この文献は、患者が、必要に応じて、接続要素としての消費制御を介して、酸素発生器または加圧されたガスシリンダとの接続を形成することができることも開示する。患者にそれらの家または別の部屋で比較的に広い移動範囲を提供するために、酸素カニューレへのより長い接続管が提案される。
【０００６】
ＤＥ２３８３４９Ａから、永久に接続される携帯用酸素タンクから呼吸器システムへの空気供給は、ハンドレバーによって調整できる三方弁を介して、開閉でき、また、同時に、他の方法で外気を供給する管は、三方弁のコックプラグに取り付けられた結合部によって分離され、結合される、呼吸できない大気を有する部屋に入るための呼吸装置が知られている。
【０００７】
特に病院向けのＣＰＡＰ又は酸素治療を行う換気システムがＵＳ６１５８４３０から知られている。この換気システムは、異なる場所または病棟に設置されるドッキングステーションでの関連するインターフェースによって操作され得る複数の携帯用換気ユニットからなる。ドッキングステーション自体は、換気ユニットに酸素供給を提供するために、病院の中央ガス供給源に接続されている。なお、個別のガスシリンダはドッキングステーションに直接に接続され得る。
【０００８】
ＷＯ２０１３／０８９７１４Ａ１から、汚染空気を有する鉱山、トンネル、タンクのような過酷な環境において独自で移動することを可能にするハイブリッド自己救助装置が知られている。呼吸管、マウスピース、呼吸マスク、ノーズクリップ、ゴーグルなどのようなすべての必要な部品は、携帯可能なハウジングに収納される。さらに、自己救助装置は、呼吸管または除塵フィルタが必要に応じて接続され、複数ポートを有する弁ハウジングを有する。
【０００９】
ＤＥ１０２００５０００９２２Ａ１から知られている塗布装置は、例えば、患者に空気を供給するために常に高流量装置に接続されなければならず、その物理的なサイズ及び重量により、高流量治療装置は随意に携帯できず、高流量治療装置に制限されて患者が動けない。また、特に流量及び圧力の特性である、供給された治療空気のパラメータは、外部の影響により、高流量治療装置から鼻当てへの途中で変わるので、鼻当てにおいて高流量治療装置によって生成される時の設定されたパラメータを有することを確保することができないので、供給管が患者にある程度の運動の自由度を提供するための任意の長さを有することができない。
【００１０】
患者の移動性の欠如は重大な欠点である。患者は、ガス供給がないため、呼吸サポートなしで短い距離を短時間に移動することができない。
【発明の概要】
【００１１】
本発明の基本的な目的は、この欠点を改善し、最大限の移動性と柔軟性とを同時に達成し、さらに酸素または治療空気を供給できるようにすることである。前記目的は、本願請求範囲第１項に記載の移動使用のための多機能塗布装置によって達成される。本発明のさらなる利点は、従属請求項に示される。
【００１２】
塗布装置プラグの有利な構成を有する移動使用のための多機能塗布装置は、一方で高流量治療装置によって提供される調節された治療空気（ＴＮＩ）を連続して供給し、他方で自動的に切り替えることによって、患者が例えば、浴室、台所などに行くために、高流量治療装置から塗布装置プラグを取り外す時、酸素（ＬＴＯＴ）または治療空気の供給を確保することを可能にする。
【００１３】
これらの徒歩の時、患者は、取扱いが容易な携帯型酸素または治療空気源によって供給され、このようにして、酸素または治療空気のサポートが、間断なく確保される。患者に対して、これは生活の質で大幅な向上を意味する。それらは、もはや呼吸サポートの低下または故障を心配する必要がなく、そのため、生命を脅かす可能性のある状況を防ぐ。
【００１４】
また、患者は、塗布装置が差し込まれるときに、それらの両方の鼻孔に一定流量の治療空気を供給することになっているだけなので、デッドスペースを確実に流すことができる。このため、患者に近い治療空気のパラメータが測定され、該パラメータは、高流量治療装置において、流量が経鼻カニューレの突起の出口開口で一定に保たれるように主に制御される。これは、本明細書においてより詳細に説明される有利な手段によって達成される。
【００１５】
請求項２に記載の球体としての弁体の設計は、弁の機能を確保するために、弁座およびそれらのシールに関する簡単な構造を可能にする。
【００１６】
一方、請求項３のように、弁体がシリンダピストンとして実現される場合、改良されたより簡易なシールのような、この実施形態に共通の利点が達成される。
【００１７】
塗布装置で表示する電子部品に、エネルギーを提供しなければならないので、請求項４に従って、電源供給の、及び／又は信号線とデータ線のための接点が塗布装置プラグで既に存在し、追加の外部接続線が必要ない。
【００１８】
請求項５に従って、Ｙ型部材において、方向弁（請求項６）と、送信装置及び受信装置（請求項７）と、電子処理ユニット（請求項８）とを含む機能ユニットは有利に設置される。請求項９の代替的に引用された特徴によって示されるように、これらの部品に、供給管における加熱線、または電池、または二次電池による簡単な方法で、エネルギーを供給する。
【００１９】
請求項１０に従って、塗布装置プラグ自体は、プログラマブルマイクロプロセッサを備え、該プログラマブルマイクロプロセッサの請求項１１に記載のメモリが、患者データと、個別に必要とされる治療空気のパラメータ指示と、高流量治療装置の制御機能による評価に必要とされるサービスデータとを含む。治療装置を変える時、設定された値を塗布装置プラグから引き継ぐことができるので、患者に、治療装置をリセットする必要がなくそれらに関連する同じの治療空気を供給することができる。
【００２０】
解剖的非対称性をより個別に取り組むことができるように、Ｙ型部材は、請求項１２に形成されているように、突起に対して５ｍｍ以上の距離に配置される。
【００２１】
請求項１３に記載の抗菌塗布材料の使用は、患者を感染から保護する。
【００２２】
さらに、請求項１４のように、酸素供給口で酸素の代わりに治療空気が供給され得ることが有利である。
【図面の簡単な説明】
【００２３】
【図１】図１は、従来技術に記載の経鼻吸入システムを示す。
【図２】図２は、高流量治療装置に接続される本発明に従う塗布装置プラグを示す。
【図３】図３は、本発明に従う塗布装置プラグの上部を示す。
【図４】図４は、本発明に従う塗布装置プラグを通る垂直断面を示す。
【図５】図５は、酸素供給口の面における作動要素を備える本発明に従う塗布装置プラグを通る垂直断面を示す。
【図６】図６は、治療空気供給口の面における本発明に従う塗布装置プラグの上部を通る垂直断面を示す。
【図７】図７は、本発明に従う塗布装置プラグの下面視を示す。
【図８】図８は、機能ユニットを備える本発明に従う塗布装置を示す。
【図９】図９は、機能ユニットの詳細を示す。
【発明を実施するための形態】
【００２４】
図１は、高流量治療装置１と塗布装置６（アプリケータ）からなる従来技術に記載の経鼻吸入システムを示す。高流量治療装置１において、外気のための入口２と、酸素供給のための供給口３と、操作及び表示装置４と、治療空気のための出口における塗布装置６のための口５とが見て取れる。塗布装置６は、基本的に、少なくとも塗布装置プラグ７、供給管８、Ｙ型部材９、分岐管１０、及び突起１２を有する鼻当て１１からなる。
【００２５】
本発明に記載の移動使用のための多機能塗布装置６は、図２に示されるように、高流量治療装置１の上に取り付けられ得る塗布装置プラグ７と、図２に示されない供給管８のための酸素供給口１３及び治療空気供給口１４と、を備える。塗布装置プラグ７は、少なくとも上部１５と下部１６からなる。
【００２６】
図３は、下から見た部分図で塗布装置プラグ７の上部１５を示す。該塗布装置プラグ７の上部１５は、加湿器インターフェース１７を含み、高流量治療装置１から加湿器インターフェース１７を介して、調節された治療空気が塗布装置プラグ７に供給される。さらに、シール２２と、それの上における弁体２４とを有する下部弁座２３が示され、該弁体２４がガイド２７で直線的に移動可能である。ガイド２７は圧力室２１に配置される。なお、電源供給並びに信号及び／又はデータ線のための接点（コンタクト部）１８、１９が示される。
【００２７】
図４は、塗布装置プラグ７を通る垂直断面であり、上部１５と下部１６からなり、圧力室２１を備える塗布装置プラグ７のハウジング２０を示す。治療空気は高流量治療装置１から加湿器インターフェース１７を介して下方から圧力室２１に流入することができる。その上端において、加湿器インターフェース１７は、シール２２を備える下部弁座２３を有し、塗布装置プラグ７が高流量治療装置１の上に載置されない時、弁体２４（例えば、この場合、球体であり、又はシリンダ形の弁ピストンである）が下部弁座２３の上に留められる。弁体２４の上方に、シール２２も備えて酸素供給口１３との接続を形成することができる別の上部弁座２５を有する。圧縮コイルばね２６も見え、該圧縮コイルばね２６のばね力は、弁体２４に作用するため、弁体２４を加湿器インターフェース１７の下部弁座２３のシール２２に押し付ける。このように、塗布装置プラグ７が高流量治療装置１から取り外される時、加湿器インターフェース１７が確実に封止される。
【００２８】
図５に示されるように、塗布装置プラグ７は、ラッチングまたはロッキング連結によって高流量治療装置１上の位置に係止される時、弁体２４は作動要素２８によって上部弁座２５のシール２２に対して上方へ押し付けられ、動かないようにこれに固定される。従って、酸素が、酸素供給口１３を介して圧力室２１に流入することができない。これは、高流量治療装置１によって提供される治療空気が、圧力室２１に流入し、さらに、この切断面に示され得ない治療空気供給口１４を介して供給管８へ流れることを確実にする。この流路は通常の場合である。
【００２９】
図６は、供給管８（図示せず）のための治療空気供給口１４の面における移動使用のための多機能塗布装置６の塗布装置プラグ７を通る垂直断面を示す。治療空気供給口１４は圧力室２１と供給管８の間の接続を形成する。塗布装置プラグ７が高流量治療装置１上に載置される時、この接続は常に開いており、作動要素２８が、図５に示されるように下部弁座２３のシール２２から弁体２４を持ち上げるので、緊密にラッチされ、またはロックされる、そして、この接続が圧力室２１に治療空気を常に提供している。
【００３０】
患者は、予測可能な時間移動可能とすることを希望する場合、その時、充填レベルが監視される最新の携帯型酸素シリンダは、それがまだ起こっていなければ酸素供給口１３と接続されるべきである。塗布装置プラグ７が高流量治療装置１から取り外されている時、作動要素２８はもはや弁体２４に作用しない。圧縮コイルばね２６の力は、弁体２４を下部弁座２３のシール２２に押し付けて、弁体２４は下部弁座２３を閉じる。それから、酸素は酸素供給口１３を介して圧力室２１に流入し、さらに、治療空気供給口１４を介して、供給管８へ流れる。小型で取扱いが容易な酸素または治療空気源を有する移動使用のための多機能塗布装置６は、移動する時、患者により簡単で快適に取り扱うことができ、そのため、高流量治療装置１を使用せず酸素または治療空気の供給を維持しながら、最初の場所において移動の選択肢が与えられる。このように、酸素または治療空気の連続供給は、移動中確実に確保され、本発明及びその機能に従う前記の弁構造を用いずに実現されることが不可能である。
【００３１】
ここで弁体２４を示さないので、図７における塗布装置プラグ７の下から見た図（高流量装置に向かっているプラグ側）は、加湿器インターフェース１７以外に、圧縮コイルばね２６と、電源供給並びに／或いは信号及び／又はデータ線のため（例えば、図８のデータ線３２のため）の接点１８、１９と、を示す。該接点は、高流量治療装置１の対応接点に対応する。
【００３２】
移動使用の機能以外に、本発明に従う移動使用のための多機能塗布装置６は、図８および図９を参照してより詳細に説明する監視機能（使用時間、温度、サービス間隔などのような機能）を可能にする。
【００３３】
必要に応じて、治療空気を導くＹ型部材９は、図８に示され、機能ユニット２９を備えることができる。機能ユニット２９は、例えば、流量、湿度、温度などを測定するセンサ３３を備える（図９を参照）。測定されたデータが供給管８におけるデータ線３２によって塗布装置プラグ７に送信され、そして、接点１９を介して高流量治療装置１に送信される（on to the high flow therapy device 1の意味が分かりませんので、to the high flow therapy device 1で翻訳しました）。データ線３２と代替的に、機能ユニット２９はデータ送信のための送信装置及び受信装置を有し、または、加熱線を介してデータを直接に送信する。該送信装置および該受信装置は、塗布装置プラグ７または高流量治療装置１のいずれかにおける対応の受信装置および送信装置と通信する。送信装置および受信装置が塗布装置プラグ７に設置される場合、データが接点１９を介して、高流量治療装置１に送信され、そのため、高流量治療装置１は治療空気のパラメータを最適化することができる。機能ユニット２９における送信装置及び受信装置は、電池または二次電池によってエネルギーが供給され得る。供給管８で動作し、必要なエネルギーを伝送する加熱線３１を介しての電源供給も可能である。また、二次電池が加熱線３１によって充電され得る（図８における拡大断面を参照）。
【００３４】
この機能を実現するために、機能ユニット２９は、図９に示されるように、流れる治療空気のパラメータを測定するためのセンサ３３と、測定されたデータを送信する電子処理ユニット３４と、を有する。
【００３５】
前記センサ３３以外には、方向弁３０は機能ユニット２９で提供され得、該方向弁３０は異なる経路で治療空気を分岐管１０に導く。このように、突起１２の領域において、分岐管１０を介して出口開口で一定流量が、適切なセンサの機能として代替的に確保される。したがって、鼻孔を通る患者の呼吸管の可変抵抗が考慮される。
【００３６】
塗布装置プラグ７は、サービスデータ、移動使用のための多機能塗布装置６を使用する患者のデータ及びパラメータが格納されたプログラマブルマイクロプロセッサをさらに有することができる。治療空気の正確な条件がこのように設定され得るので、該データは、高流量治療装置１の個別制御のために必要とされ得る。患者がそれらの移動使用のための多機能塗布装置６によって以前使用した高流速治療装置１を変える場合、高流速治療装置１自体が自動的にリセットし、患者は、それらのために定義される必要なパラメータを有する調節された治療空気を即時に受け、これは、患者がその際、選択された高流速治療装置１から独立していることを意味する。これは、高流速治療装置１自体が塗布装置プラグ７におけるマイクロプロセッサからのデータを処理することができる対応のコントローラを有するという事に基づいている。
【００３７】
患者のデータは、例えば、子供のための塗布装置における流量制限、塗布装置タイプの識別、稼働時間、実行時間などのような塗布装置特定の特性を備える。
【００３８】
機能ユニット２９における方向弁３０と代替的に、制御された方向弁は、突起１２の各出口開口で一定流量を維持するように、突起１２の間の鼻当て１１に位置され得る。該制御は、機能ユニット２９と同じ技術的解決方法によって実施される。また、突起１２の出口断面は非対称に成形され得る。例えば、鼻孔における突起１２の出口開口の異なる断面表面及び／又は断面形状がさらに考えられる。
【００３９】
酸素供給口１３の内径は、少なくとも１ｍｍである。好ましくは、酸素供給口１３の内径は、１ｍｍ以上１０ｍｍ以下である。
【００４０】
治療空気供給口１４の内径は、少なくとも２ｍｍである。好ましくは、治療空気供給口１４の内径は、２ｍｍ以上２５ｍｍ以下である。
【００４１】
いずれかの前記措置の目的は、すべての必要なパラメータを考慮しながら、突起１２の各出口開口で一定流量を提供することである。
【符号の説明】
【００４２】
１    高流量治療装置
２    外気のための入口
３    酸素供給のための供給口
４    高流量治療装置の操作及び表示装置
５    塗布装置のための口
６    塗布装置
７    塗布装置プラグ
８    供給管
９    Ｙ型部材
１０    分岐管
１１    鼻当て
１２    突起
１３    酸素供給口
１４    治療空気供給口
１５    塗布装置プラグの上部
１６    塗布装置プラグの下部
１７    加湿器インターフェース
１８    電源供給のための接点
１９    信号及び／又はデータ線のための接点
２０    塗布装置プラグのハウジング
２１    圧力室
２２    シール
２３    下部弁座
２４    弁体
２５    上部弁座
２６    圧縮コイルばね
２７    弁体のためのガイド
２８    作動要素
２９    機能ユニット
３０    方向弁
３１    加熱線
３２    データ線
３３    センサ
３４    電子処理ユニット
【図１】
0006386667.tif 000002
【図２】
0006386667.tif 000003
【図３】
0006386667.tif 000004
【図４】
0006386667.tif 000005
【図５】
0006386667.tif 000006
【図６】
0006386667.tif 000007
【図７】
0006386667.tif 000008
【図８】
0006386667.tif 000009
【図９】
0006386667.tif 000010